(57)【特許請求の範囲】
【請求項１】
内部に収容空間を区画する上下方向にのびる筒部（２１）を有し、該筒部の上端が該収容空間と外部とを連通する開口部とされるケース部（２）と、
該収容空間に配置され、該収容空間に収容された収納状態と該開口部から上方に突出する使用状態との間で往復動可能な筒状の外筒部（３）と、
該収容空間でありかつ該外筒部の軸心の中空部に配置され、該収容空間の該開口部に最も近接して位置する該収納状態と該開口部から最も離反して下方に位置する該使用状態との間で往復動可能な内部材部（４）と、
該内部材部及び該外筒部を互いに異なる方向に変移させる昇降部（５）と、
を有する昇降式容器ホルダ（１）であって、
該昇降部（５）は、
一端部が該外筒部の下端に揺動可能な状態で接続された外筒リンク（５１）を備えた外筒昇降部（５０）と、
一端部が該内部材部に揺動可能に接続され他端部が該ケース部に接続された第１の内部材リンク（５４）と、該第１の内部材リンクに互いに揺動可能な状態で支持された、一端部が該ケース部に揺動可能に接続され他端部が該内部材部に接続された第２の内部材リンク（５５）と、を該内部材部のさらに下方に有する内部材昇降部（５３）と、
該外筒リンクの揺動と、該内部材昇降部の該第１の内部材リンクと該第２の内部材リンクの少なくとも一方の揺動とを伝達するギア部（５１３，５７）と、
を有し、
該外筒リンクは、一対の棒状の回転部（５１０，５１０）と、一対の回転部を接続する接続部（５１５）と、を有し、
該内部材部は、その上部に容器が載置される底壁となる上面部（４ａ）を有することを特徴とする昇降式容器ホルダ。
【請求項２】
前記第１の内部材リンクの前記一端部と前記第２の内部材リンクの前記他端部との距離、及び該第２の内部材リンクの前記一端部と該第１の内部材リンクの前記他端部との距離が変化することが許容された状態で、該第１の内部材リンクの該他端部が前記ケース部に接続され、かつ該第２の内部材リンクの該他端部が前記内部材部に接続される請求項１記載の昇降式容器ホルダ。
【請求項３】
前記ギア部は、
前記外筒リンクに、該外筒リンクの揺動中心と一致する回転中心を備えた外筒ギア部（５１３）と、
前記第２の内部材リンクに、該第２の内部材リンクの揺動中心と一致する回転中心を備えるとともに、該外筒ギア部と歯合する内部材ギア部（５７）と、
を有する請求項１〜２のいずれか１項に記載の昇降式容器ホルダ。
【請求項４】
前記昇降部は、前記外筒部と前記内部材部の一方を、前記収納状態又は前記使用状態となるように上方又は下方に向けて付勢する、あるいは該収納状態と該使用状態の二つの状態となるように上下方向に付勢方向が切り替えられる付勢手段（６）を有する請求項１〜３のいずれか１項に記載の昇降式容器ホルダ。
【発明の詳細な説明】
【技術分野】
【０００１】
本発明は、容器を保持するための容器ホルダに関する。
【背景技術】
【０００２】
飲料の容器には丈の高いものから丈の低いものまで種々の形状のものがある。例えば、丈の高い容器としてはペットボトル型の容器や大径の紙コップ等を挙げることができ、丈の低い容器としては缶型の容器や小型の紙コップを挙げることができる。以下、必要に応じて、丈の高い容器を大型容器と呼び、丈の低い容器を小型容器と呼ぶ。
【０００３】
一般的な容器ホルダは、収容空間を持つケース部を持つ。収容空間は、一般には、ケース部の側壁及び底壁で区画され、容器を収容可能である。収容空間に収容された容器の底面は、ケース部の底壁によって支持できる。容器の側面は、ケース部の側壁によって支持できる。
【０００４】
ところで、小型容器を収容するための浅型の収容空間に大型容器を収容する場合には、大型容器の下側部分だけが収容空間に収容され、上側部分は容器ホルダの外部上方に大きく露出する。このため、この場合には大型容器を容器ホルダで安定して支持し難い問題があった。一方、大型容器を収容するための深型の収容空間に小型容器を収容する場合には、収容空間の下側部分（つまり奥側）に小型容器がはまり込み、容器を取り出し難くなる問題があった。
この問題に対して、近年では、容器の底面を支持する底壁の深さを変化させることで、収容空間の実質的な深さを可変する技術が提案されている。
【０００５】
例えば、特許文献１には、容器収容空間の少なくとも一部を形成する固定周壁部及び可動底壁部と、この可動底壁部を水平姿勢に保持して可動底壁部の上下方向の位置を調節可能な位置調節機構とを備えた容器保持装置（容器ホルダ）が記載されている。
【先行技術文献】
【特許文献】
【０００６】
【特許文献１】特開２００７−１９６８８４号公報
【発明の概要】
【発明が解決しようとする課題】
【０００７】
しかしながら、引用文献１に記載の容器ホルダ（容器保持装置）では、深さ方向のスペースが要求されるという問題があった。つまり、大型容器に対応した収容空間を形成するためには、収容空間のケース部における開口部から底壁までの深さが深いことが求められ、ケース部の大型化が必要となる。しかし、近年の車両においては、車室内外の意匠性を高めるためことが求められており、車室内の容器ホルダに要求されるスペースを小さくすることが求められている。特に、容器ホルダの深さ方向の長さを短くすることが求められている。
【０００８】
また、引用文献１の容器ホルダ（容器保持装置）では、底壁（可動底壁）を上下動するための昇降機構が、底壁（可動底壁）の側方にもうけられている。そして、昇降機構には底壁（可動底壁）をつなぐ底壁支持部が必要となっている。その上、固定周壁部には、底壁支持部の上下動のためのスリットが必要となっていた。固定周壁部のスリットは、容器ホルダの見栄えを低下するだけでなく、容器がスリットの引っかかるおそれもあった。
さらに、従来の容器ホルダ（容器保持装置）では、収容空間の開口部が露出した状態となり、意匠性が悪いという問題もあった。
本発明は上記実情に鑑みてなされたものであり、深さ方向の体格が小さな容器ホルダを簡単な構成で提供することを課題とする。
【課題を解決するための手段】
【０００９】
上記課題を解決するために本発明者らは、底壁が昇降可能な容器ホルダの構成に関して検討を重ねた結果、本発明をなすに至った。
本発明の昇降式容器ホルダは、
内部に収容空間を区画するとともに、収容空間の開口部を有するケース部と、
収容空間に配置され、開口部から収容空間の外部方向に往復動可能な筒状の外筒部と、
収容空間でありかつ外筒部の軸心の中空部に配置され、開口部から収容空間の内部方向に往復動可能な内部材部と、
内部材部及び外筒部を互いに異なる方向に変移させる昇降部と、
を有する昇降式容器ホルダであって、
昇降部は、
一端部が外筒部の内部方向の端部に揺動可能な状態で接続された外筒リンクを備えた外筒昇降部と、
一端部が内部材部に揺動可能に接続され他端部がケース部に接続された第１の内部材リンクと、第１の内部材リンクに互いに揺動可能な状態で支持された、一端部がケース部に揺動可能に接続され他端部が内部材部に接続された第２の内部材リンクと、を内部材部のさらに内部方向に有する内部材昇降部と、
外筒リンクの揺動と、内部材昇降部の第１の内部材リンクと第２の内部材リンクの少なくとも一方の揺動とを伝達するギア部と、
を有することを特徴とする昇降式容器ホルダ。
【発明の効果】
【００１０】
本発明の容器ホルダは、内部材部と外筒部とが背向する方向に変移することで、容器が収容される収容空間の深さ（内部材部及び外筒部の変移方向の深さ）が変化する。この変化により、所定の深さの収容空間を形成できる。すなわち、開口部を有するケース部から突出する収容空間を形成できる。つまり、本発明の容器ホルダは、深さ方向の体格が小さな容器ホルダとなっている。
【００１１】
そして、本発明の容器ホルダは、内部材昇降部が内部材部よりもさらに内部方向にもうけられている。この構成では、内部材昇降部の各内部材リンクが内部材部に隠れる。すなわち、外筒部を内部材リンクが貫通しないため、スリットが必要なくなっている。すなわち、スリットによる意匠性の低下が抑えられるだけでなく、容器の出し入れ時にスリットに引っかかることが抑えられる。
その上で、内部材部と外筒部の変移は、昇降部により、同時に行われる。つまり、簡単な構成で、内部材部と外筒部とを同時に変移することができる。
【図面の簡単な説明】
【００１２】
【図１】実施形態のカップホルダの使用状態での斜視図である。
【図２】実施形態のカップホルダの本体部の斜視図である。
【図３】実施形態のカップホルダの本体部の下面部の構成を示す断面図である。
【図４】実施形態のカップホルダの本体部の構成を模式的に示す図である。
【図５】実施形態のカップホルダの外筒の斜視図である。
【図６】実施形態のカップホルダの内部材の斜視図である。
【図７】実施形態のカップホルダの内部材の構成を示す断面図である。
【図８】実施形態のカップホルダの内部材の構成を模式的に示す図である。
【図９】実施形態のカップホルダの外筒昇降部の構成を示す分解図である。
【図１０】実施形態のカップホルダの内部材昇降部の構成を示す分解図である。
【図１１】実施形態のカップホルダの使用状態での構成図である。
【図１２】実施形態のカップホルダの収納状態での構成図である。
【発明を実施するための形態】
【００１３】
以下、本発明の昇降式容器ホルダをカップホルダで具体化した実施形態について、図面を参照して具体的に説明する。
なお、以下の実施形態において、上方と下方のそれぞれの方向は、特に言及しない限りは各図での上方又は下方に向かう方向を示す。より詳しくは、上方は、開口部から収容空間の外部に向かう方向（軸方向）に当たる。下方は、開口部から収容空間の内部に向かう方向（軸方向）に当たる。
【００１４】
［実施形態］
本形態のカップホルダ１は、車両のコンソールボックスに設置されるドリンクホルダである。カップホルダ１の構成を、図１〜１０に示した。
図１に示したように、カップホルダ１は、本体部２，外筒３，内部材４，昇降部５，バネ６を有する。
【００１５】
（本体部）
本体部２は、図２に斜視図で示したように、上面部２０と、筒部２１と、を有する。本体部２は、請求項のケース部に該当し、内部に収容空間を区画するとともに、収容空間と外部を連通する連通孔を区画する開口部を有する。
【００１６】
上面部２０は、カップホルダ１の上面を形成する板状の部材である。上面部２０は、筒部２１の一方の端部（図では上端）が接続され、筒部２１の軸心の中空空間と連通する開口部を有する。
【００１７】
筒部２１は、カップホルダ１において収容空間を区画する筒状の部材である。収容空間は、外筒３及び内部材４を収容するとともに、カップ（ドリンク、容器）が収容される空間の一部を形成する空間である。筒部２１は、一方の端部が上面部２０に接続される。筒部２１を形成する筒状の部材は、収容空間を形成できる形状であればよく、図に示した円筒の部材であっても、角筒の部材であっても良い。
【００１８】
筒部２１は、他方の端部（下端）から一方の端部側に伸びる切り欠き２２が形成されている。切り欠き２２は、外筒３が組み付けられたときに、外筒突起３１が貫通する。切り欠き２２が形成された筒部２１の周縁部には、その外周面から突出して（径方向外方に向かって）伸びるフランジ部２２０を有する。
【００１９】
本形態の筒部２１は、図１１〜１２に示したように、他方の端部（下端）から所定の長さの範囲で、開口部よりも内径が縮径している。具体的には、内径が変化する階段状の段差部を有する。この段差部は、外筒３の下端と当たることで、外筒３が過剰に下方に変移することを防止する。
【００２０】
筒部２１は、他方の端部（下端）に、貫通孔２１１が２つ形成されている。二つの貫通孔２１１，２１１は、同軸となる位置に形成されている。二つの貫通孔２１１，２１１は、筒部２１の軸心の中空部に内部材昇降部５３を配したときに、第２の内部材リンク５５の一端部を間に配することが可能な位置にもうけられている。
【００２１】
筒部２１は、他方の端部（下端）に、端面に沿ってのびる、帯状の下面部２３を有する。下面部２３は、他方の端部（下端）の軸心を通って横断するようにもうけられている。下面部２３の幅が筒部２１の内径よりも狭く形成されており、帯状の下面部２３の側方は、閉塞されておらず、筒部２１の内部と外部が連通している。
【００２２】
下面部２３は、図３に断面図で示したように、その伸びる方向に垂直な断面で、両端が上方に突出した凹字状を有している。具体的には、一対の立壁部２３０，２３０と、一対の立壁部２３０，２３０をつなぐ底壁２３１と、を有する。
【００２３】
下面部２３の凹字状の断面において、一対の立壁部２３０，２３０間の幅は、第１の内部材リンク５４及び第２の内部材リンク５５の幅よりも広く形成されている。すなわち、凹字状の内部に内部材昇降部５３を配することができる。
【００２４】
そして、下面部２３は、図３〜４に示したように、一対の立壁部２３０，２３０のそれぞれには、貫通孔２３２，２３２がもうけられている。貫通孔２３２，２３２は、同軸で形成されているだけでなく、本体部２の貫通孔２１１とも同軸で形成されている。なお、図４は、下面部２３の構成を側方から模式的に示した断面図である。
【００２５】
また、一対の立壁部２３０，２３０のそれぞれには、貫通孔２３３がもうけられている。貫通孔２３３は、帯状の下面部２３の伸びる方向に沿って伸びた溝状を有する。それぞれの貫通孔２３３、２３３も、同軸で形成されている。
【００２６】
筒部２１は、その外周面に、昇降部５の外筒リンク５１を回転中心５１１で回転可能（揺動可能）な状態で支持するリンク支持突起２４を有する。リンク支持突起２４は、筒部２１の外周面から突出した棒状（円柱状）の突起である。
また、筒部２１は、その外周面に、バネ６の一端が係止されるバネ係止突起２５を有する。バネ６は、他端が、外筒リンク５１の一方の端部に係止される。
【００２７】
（外筒）
外筒３は、請求項の外筒部に該当し、収容空間に配置され、開口部から収容空間の外部方向に往復動可能な筒状の部材である。
【００２８】
外筒３は、図５に斜視図で示したように、本体部２の収容空間に収容される筒状を有する部材（筒状の部材）である。外筒３は、その内周面に、切れ欠き等の凹凸を有していない。外筒３は、筒部２１の軸心の中空部の形状と略一致する外周形状を有する円筒状を有する。外筒３の軸方向の長さは、収容空間に収容可能な長さであればよく、その長さが長いほど好ましく、筒部２１の長さと同じ長さであることがより好ましい。
【００２９】
外筒３は、外周面に外筒突起３１，３２を有する。本形態では、外筒突起３１と外筒突起３２は、それぞれ２つもうけられている。外筒突起３１と外筒突起３２は、周方向に沿って交互にもうけられている。
【００３０】
外筒突起３１は、外筒３の外周面から突出した突起であり、筒部２１の切り欠き２２に挿入され、切り欠き２２及びフランジ部２２０に沿って外筒３をガイドするため外筒突起本体部３１０と、外筒突起本体部３１０の径方向の外方に面する外周面から突出する円柱状の外筒突起先端部３１１と、を有する。
【００３１】
外筒突起本体部３１０は、外筒３の下端の外周面にもうけられ、下方側に伸びる略角柱形状を有する。外筒突起本体部３１０の略角柱状は、切り欠き２２（及びフランジ部２２０）に挿入可能な大きさで形成される。
外筒突起先端部３１１は、昇降部５の外筒リンク５１と接続される。
【００３２】
外筒突起３２は、外筒３の外周面から突出した突起であり、筒部２１の切り欠き２２に挿入され、切り欠き２２及びフランジ部２２０に沿って外筒３をガイドする。
【００３３】
外筒突起３２は、外筒突起本体部３１０と同様に、外筒３の下端の外周面にもうけられ、下方側に伸びる略角柱形状を有する。外筒突起３２の略角柱状は、切り欠き２２（及びフランジ部２２０）に挿入可能な大きさで形成される。
【００３４】
（内部材）
内部材４は、請求項の内部材部に該当し、収容空間でありかつ外筒部３の軸心の中空部に配置され、開口部から収容空間の内部方向に往復動可能な部材である。内部材４は、図１に図示したように、本体部２の収容空間及び外筒３の中空の軸心部に収容される部材である。
内部材４は、図６に斜視図で示したように、外筒３の軸心の中空部の形状と略一致する外周形状を有する略円盤状の部材である。
【００３５】
内部材４の上面４ａは、カップホルダ１の上面の意匠面を形成する（蓋部材として機能する）とともに、カップホルダ１がカップ（ドリンク、容器）を保持するときにカップ（ドリンク、容器）の底面を保持（支持）する底壁として機能する。すなわち、内部材４は、その上部にカップ（ドリンク、容器）を載置できる。
【００３６】
内部材４は、図７〜８に示したように、下面４ｂに、貫通孔４１，４１が開口した一対の立壁部４０，４０が形成されている。なお、図７は図３と同様に、図８は図４と同様に、内部材４の構成を示した図である。
【００３７】
一対の立壁部４０，４０の間の幅は、第１の内部材リンク５４及び第２の内部材リンク５５の幅よりも広く形成されている。すなわち、一対の立壁部４０，４０の間の空間に内部材昇降部５３を配することができる。
一対の立壁部４０，４０のそれぞれには、貫通孔４１，４１がもうけられている。貫通孔４１は、同軸で形成されている。
【００３８】
また、一対の立壁部４０，４０のそれぞれには、貫通孔４２がもうけられている。貫通孔４２は、立壁部４０の伸びる方向に沿って伸びた溝状を有する。それぞれの貫通孔４２、４２も、同軸で形成されている。
内部材４は、一対の立壁部４０，４０の伸びる方向が、本体部２の下面部２３と重なるように組み付けられる。
【００３９】
（昇降部）
昇降部５は、請求項の昇降部に該当し、内部材４及び外筒３を互いに異なる方向に変移させる。
昇降部５は、図９に示したように外筒リンク５１を備えた外筒昇降部５０と、図１０に示したように第１の内部材リンク５４及び第２の内部材リンク５５を備えた内部材昇降部５３と、を備える。
【００４０】
（外筒昇降部）
外筒昇降部５０は、外筒リンク５１を有する。外筒リンク５１は、一対の回転部５１０，５１０と、一対の回転部５１０，５１０を接続する接続部５１５と、を有する。
【００４１】
回転部５１０は、略棒状（略板状）を有し、その先端部と基端部の間に回転中心５１１をもつ。回転部５１０は、外筒３の外筒突起先端部３１１が挿入される孔５１２をもつ。孔５１２は、回転部５１０の長さ方向にのびる形状を有している。孔５１２がこの形状（溝状の形状）を有することで、外筒突起先端部３１１を上下方向（軸方向）に往復動可能となる。
また、回転部５１０は、孔５１２のさらに先端側に、バネ６が係止される孔５１４が開口している。
【００４２】
回転部５１０は、先端部と基端部の間に、回転中心５１１と同軸に形成された外筒ギア部５１３を有する。外筒ギア部５１３は、回転部５１０の板状の側面（図では下方側の側面）にもうけられた、外周面にギア（歯車）が形成された略円弧状の部分である。外筒ギア部５１３のギアが形成された略円弧状の外周面は、回転中心５１１を中心とする円弧面をなしている。
【００４３】
接続部５１５は、一対の回転部５１０，５１０を、それぞれの基端部で接続する。接続部５１５は、一対の回転部５１０，５１０を、それぞれの回転中心５１１，５１１が同軸に位置する状態で接続する。接続部５１５が一対の回転部５１０，５１０を接続することで、一対の回転部５１０，５１０が、回転中心５１１を中心に回転できる。
【００４４】
外筒昇降部５０は、１８０°の位置にあり互いに背向する方向に突出する外筒突起先端部３１１，３１１が、一対の回転部５１０，５１０のそれぞれの孔５１２，５１２に挿入可能な状態で組み付けられる。このとき、一対の回転部５１０，５１０は、本体部２（外筒３）の円環状の接線方向に伸びる状態で配され、接続する。
外筒昇降部５０は、一対の回転部５１０，５１０の間に本体部２が位置する状態で組み付けられる。
【００４５】
（内部材昇降部）
内部材昇降部５３は、図１０に分解図で示したように、第１の内部材リンク５４及び第２の内部材リンク５５を有する。
【００４６】
第１の内部材リンク５４は、一端部が内部材４の貫通孔４１に揺動可能（回転可能）に同軸で接続され、他端部が本体部２の下面部２３の貫通孔２３３に接続される。第１の内部材リンク５４は、他端部側が開いた略Ｕ字状の板状を有する。第１の内部材リンク５４の一端部には、板の幅方向に貫通する貫通孔５４０が形成される。また、第１の内部材リンク５４の他端部には、板の幅方向に貫通する貫通孔５４１，５４１が形成される。
【００４７】
第１の内部材リンク５４は、一端部の貫通孔５４０と、内部材４の下面４ｂの貫通孔４１，４１とにシャフト５６０を貫通させて内部材４に組み付けられる。このとき、第１の内部材リンク５４は、一対の立壁部４０，４０の間に配される。すなわち、貫通孔４１、貫通孔５４０、貫通孔４１の順序で、シャフト５６０が貫通する。また、第１の内部材リンク５４は、シャフト５６０を中心に回転可能（揺動可能）に組み付けられる。
【００４８】
第１の内部材リンク５４は、他端部の貫通孔５４１と、本体部２に開口した貫通孔２３３とにシャフト５６１を貫通させることで、シャフト５６１を中心に揺動可能（回転可能）に接続される。このとき、貫通孔２３３、貫通孔５４１、貫通孔５４１、貫通孔２３３の順序で、シャフト５６１が貫通する。
シャフト５６１は、貫通孔２３３に沿って移動可能に接続される。
【００４９】
第２の内部材リンク５５は、一端部が本体部２の貫通孔２３２に揺動可能（回転可能）に同軸で接続され、他端部が内部材４の貫通孔４２に接続される。第２の内部材リンク５５は、第１の内部材リンク５４の略Ｕ字状の開口に挿入可能な幅の略帯状（第１の内部材リンク５４の開口より狭い略帯状）を有する。第２の内部材リンク５５の一端部には、板の幅方向に貫通する貫通孔５５０が形成される。また、第２の内部材リンク５５の他端部には、板の幅方向の側面から突出する突起部５５１が形成される。
【００５０】
第２の内部材リンク５５は、一端部の貫通孔５５０と、本体部２の貫通孔２３２とにシャフト５６２を貫通させることで、本体部２に揺動可能（回転可能）に接続される。シャフト５６２は、本体部２の貫通孔２１１、２１１も貫通して組み付けられる。すなわち、貫通孔２１１、貫通孔２３２、貫通孔５５０、貫通孔２３２、貫通孔２１１の順序で、シャフト５６２が貫通する。
第２の内材部リンク５５は、他端部の突起部５５１が、内部材４の貫通孔４２に挿入（貫通）することで、突起部５５１を中心に揺動可能（回転可能）に接続される。また、突起部５５１は、貫通孔４２に沿って変移可能に接続される。
【００５１】
第２の内部材リンク５５を本体部２に接続するシャフト５６２は、第２の内部材リンク５５の揺動に合わせて回転する。そして、このシャフト５６２は、外筒ギア部５１３と歯合するギア５７を有する。外筒ギア部５１３とギア５７が歯合することで、第２の内部材リンク５５と外筒リンク５１とが連動して動作する。このギア５７は、請求項の内部材ギア部に相当する。
第１の内部材リンク５４及び第２の内部材リンク５５は、伸びる方向において、互いに異なる方向の略クランク状に湾曲して形成される。
【００５２】
第１の内部材リンク５４及び第２の内部材リンク５５は、第１の内部材リンク５４の間に第２の内部材リンク５５が位置する状態で組み付けられる。そして、一端部と他端部の間（中央部）に、両リンク５４，５５をシャフト５６が貫通している。このとき、第１の内部材リンク５４及び第２の内部材リンク５５は、シャフト５６を中心に互いに揺動可能な状態で組み付けられる。
【００５３】
（バネ）
バネ６は、請求項の付勢手段に当たる。
バネ６は、一端が筒部２１のバネ係止突起２５に、他端が外筒リンク５１の一方の端部に、それぞれ係止されるターンオーバースプリングよりなる。バネ６は、外筒３を、収容空間の外部方向又は内部方向に付勢する。
バネ６のターンオーバースプリングは、外筒リンク５１を介して、外筒３を収容空間の外部方向又は内部方向に付勢する。ターンオーバースプリングは、外部方向と内部方向とで付勢方向が切り替えられる。ターンオーバースプリングの付勢方向の切り替えは、外筒リンク５１が動作するときに、一方の端部と他方の端部の距離が短くなっていき、最も短い位置を過ぎたときに生じる。
【００５４】
（ダンパ）
本形態のカップホルダ１は、更にダンパ７を有する。ダンパ７は、外筒ギア部５１３とギア５７に歯合する歯車をもち、外筒ギア部５１３とギア５７の回転速度を制御（律速）する。
【００５５】
（カップホルダの動作）
本形態のカップホルダ１は、外筒３が収容空間に収容され、内部材４の上面４ａ、及び外筒３の上方の端部（端面）が本体部２の上面部２０と平面をなすように配されている。この状態は、カップ（ドリンク）が収容不可能な状態であり、収納状態とする。
【００５６】
そして、内部材４の上面４ａを押圧して押し下げることで、内部材４が収容空間に押し込まれるように変移するとともに、外筒３が押し上げられように変移する。外筒３が最も上端側に変移した状態であり、内部材４が最も下端側に変移した状態は、カップ（ドリンク）が収容可能な状態であり、使用状態とする。
【００５７】
（収納状態）
本形態のカップホルダ１の収納状態での構成を、図１１に概略構成図で示した。
収納状態では、外筒３が収容空間に収容された状態となっている。この状態は、外筒３が最も下方に位置している。外筒３の下方の端部に形成された外周突起３１，３２も、最も下方に位置する。外周突起３１の外周突起先端部３１１は、外筒昇降部５０の外筒リンク５１の孔５１１に挿入されている。このため、外筒リンク５１の回転部５１０の先端が下方に位置している（下がっている）。このとき、回転部５１０の先端は、回転中心５１１より下方に位置している。
図１１に示したように、収納状態では、内部材４が収容空間に収容された状態となっている。この状態は、内部材４が最も上方に位置している。
【００５８】
内部材４には、その下面４ｂに内部材昇降部５３が接続される。このとき、内部材昇降部５３を構成する第１の内部材リンク５４及び第２の内部材リンク５５は、Ｘ字をなすようにシャフト５６で接続されている。
【００５９】
第１の内部材リンク５４は、一端部の貫通孔５４０と内部材４の下面４ｂの貫通孔４１にシャフト５６０を貫通させることで、内部材４に同軸で揺動可能（回転可能）に接続される。他端部の貫通孔５４１と、本体部２に開口した貫通孔２３３とにシャフト５６１を貫通させて接続される。このとき、シャフト５６０，５６１は、両端が貫通孔４１及び貫通孔２３３の開口から突出した状態となっている。第１の内部材リンク５４の他端部は、貫通孔２３３の伸びる方向で変移が許容された状態で配されている。収納状態の第１の内部材リンク５４は、最も立った状態（軸方向に対する傾斜角が最も小さい状態）となっている。
【００６０】
第２の内部材リンク５５は、一端部の貫通孔５５０と、本体部２の貫通孔２３２とにシャフト５６２を貫通させることで、本体部２に同軸で揺動可能（回転可能）に接続される。他端部の突起部５５１を、内部材４に開口した貫通孔４２に挿通させることで接続される。このとき、シャフト５６２及び突起部５５１は、両端が貫通孔２３２及び貫通孔４２の開口から突出した状態となっている。第２の内部材リンク５５の他端部は、貫通孔４２の伸びる方向（立壁部４０の伸びる方向）で変移が許容された状態で配されている。収納状態の第２の内部材リンク５５は、第１の内部材リンク５４と同様に、最も立った状態（軸方向に対する傾斜角が最も小さい状態）となっている。
【００６１】
このとき、第１の内部材リンク５４の一端部と第２の内部材リンク５５の他端部との距離は、最も短くなっている。同様に、第１の内部材リンク５４の他端部と第２の内部材リンク５５の一端部との距離は、最も短くなっている。これらの距離は、シャフト５６０と突起部５５１の距離、シャフト５６１と５６２の距離とすることもできる。
そして、第２の内部材リンク５５を本体部２に接続するシャフト５６２のギア５７は、外筒ギア部５１３と歯合する。
【００６２】
この収納状態では、バネ６が外筒リンク５１の回転部５１０の先端を下方に付勢する。すなわち、外筒リンク５１を介して外筒３が下方に付勢される。また、このバネ６により、外筒リンク５１の自由な回転が規制される。外筒ギア部５１３を介して内部材昇降部５３（第２の内部材リンク５５及び第１の内部材リンク５４）により内部材４が上方に付勢される。
【００６３】
（使用状態への動作）
収納状態のカップホルダ１は、内部材４の上面４ａを押圧して押し下げることで、使用状態とすることができる。
内部材４の上面４ａを押圧すると、内部材４が下方に変移する。ことのき、内部材４の上面４ａを押圧する力は、バネ６が外筒リンク５１の回転部５１０の先端を下方に付勢する力よりも大きい。
【００６４】
この力で内部材４の上面４ａを押圧すると、内部材４が下方に変移する。内部材４が下方に変移すると、第２の内部材リンク５５が、軸方向に対する傾斜角が大きくなる方向（第２の内部材リンク５５が寝る方向）に傾く。第２の内部材リンク５５の一端部を揺動中心に回転するように傾斜する。このとき、第２の内部材リンク５５の他端部は、第１の内部材リンク５４の一端部から離反する方向に変移する。また、第２の内部材リンク５５の他端部は、突起部５５１が内部材４の溝状の貫通孔４２に沿って、変移する。
【００６５】
同様に、内部材４が下方に変移すると、第１の内部材リンク５４が、軸方向に対する傾斜角が大きくなる方向に傾く。第１の内部材リンク５４の一端部を揺動中心に回転するように傾斜する。第１の内部材リンク５４の他端部は、第２の内部材リンク５５の一端部から離反する方向に変移する。また、第１の内部材リンク５４の他端部は、シャフト５６１が本体部２の溝状の貫通孔２３３に沿って、変移する。
言い換えると、内部材４が下方に変移すると、内部材昇降部５３の二つの内部材リンク５４，５５が形成するＸ字の形状は、高さが減少し、幅が広がる。
【００６６】
すなわち、第１の内部材リンク５４の一端部と第２の内部材リンク５５の他端部との距離は、広がる。同様に、第１の内部材リンク５４の他端部と第２の内部材リンク５５の一端部との距離は、広がる。この距離の変化は、貫通孔２３３及び貫通孔４２が溝状に形成されていることによる。
【００６７】
そして、第２の内部材リンク５５の揺動（回転）は、ギア５７及び外筒ギア部５１３を介して外筒リンク５１に伝達される。外筒リンク５１は、外筒ギア部５１３を介して、先端部が上方に押し上げられる。そうすると、回転部５１０に開口した孔５１２も押し上げられ、孔５１２に挿入した外筒突起先端部３１１も押し上げられる。この結果、外筒３が押し上げられる。
【００６８】
内部材４が下方に変移して、外筒リンク５１が回転すると、バネ６が圧縮する。バネ６が圧縮されていくと、ターンオーバースプリングの付勢力の方向が反転する。そうすると、外筒リンク５１の回転部５１０の先端部が上方に押し上げられる。回転部５１０に開口した孔５１２も押し上げられ、孔５１２に挿入した外筒突起先端部３１１も押し上げられる。この結果、外筒３が押し上げられ、最上方に押し上げられるとともに付勢される。
【００６９】
バネ６の付勢力の方向が反転すると、外筒ギア部５１３及びギア５７（シャフト５６３）を介して第２の内部材リンク５５が回転する。第２の内部材リンク５５の回転は、内部材昇降部５３の二つの内部材リンク５４，５５を、Ｘ字の形状が、高さが減少し、幅が広がる方向に揺動（回転）する。そして、二つの内部材リンク５４，５５が、軸方向に対して垂直な方向に伸びる状態（使用状態）となる。
なお、バネ６の付勢力の方向が反転した後、外筒ギア部５１３とギア５７の回転速度は、ダンパ７で制御（律速）される。
【００７０】
（使用状態）
使用状態の本形態のカップホルダ１の構成を、図１２に概略構成図で示した。
図１２に示したように、使用状態では、外筒３が収容空間（本体部２の上面部２０）から突出した状態となっている。この状態は、外筒３が最も上方に位置している。外筒３の下方の端部に形成された外周突起３１，３２も、上方の端部に位置する。外周突起３１の外周突起先端部３１１は、外筒昇降部５０の外筒リンク５１の孔５１２に挿入されている。このため、外筒リンク５１の回転部５１０の先端が上方に位置している（上がっている）。このとき、回転部５１０の先端は、回転中心５１１より上方に位置している。
使用状態では、内部材４が収容空間で内部方向に変移した状態となっている。この状態は、内部材４が最も下方に位置している。
【００７１】
第１の内部材リンク５４は、使用状態では、最も寝た状態（軸方向に対する傾斜角が最も大きい状態，図では９０°）となっている。同様に、第２の内部材リンク５５も、最も寝た状態（軸方向に対する傾斜角が最も大きい状態，図では９０°）となっている。
【００７２】
このとき、第１の内部材リンク５４の一端部と第２の内部材リンク５５の他端部との距離は、最も長くなっている。同様に、第１の内部材リンク５４の他端部と第２の内部材リンク５５の一端部との距離は、最も長くなっている。
【００７３】
この使用状態では、バネ６が外筒リンク５１の回転部５１０の先端を上方に付勢する。すなわち、外筒リンク５１を介して外筒３が上方に付勢される。また、このバネ６により、外筒リンク５１の自由な回転が規制される。外筒ギア部５１３を介して内部材昇降部５３（第２の内部材リンク５５及び第１の内部材リンク５４）により内部材４が下方に付勢される。
【００７４】
（収納状態への動作）
使用状態のカップホルダ１は、外筒３を押圧して押し下げることで、収納状態とすることができる。
外筒３を押圧して押し下げていくと、外筒リンク５１が回転していき、内部材４が上方に変移する。そして、バネ６が圧縮され、ターンオーバースプリングの付勢力の方向が反転する。
その後、外筒３を押し下げるとともに、内部材４を上方に変移する方向の付勢力が働き、収納状態となる。
【００７５】
（本形態の効果）
以上に説明したように、本形態のカップホルダ１は、昇降部５の両端に外筒３と内部材４とがそれぞれ接続されたことで、簡単な構成で、互いに異なる方向に連動して変移可能となっている。
【００７６】
そして、外筒３と内部材４とを互いに異なる方向に変移させて外筒３を上面部２０から突出させることで、形成されるカップ収容空間の軸方向の長さを長くすることができる。すなわち、本形態のカップホルダ１は、軸方向の長さが長いカップ（あるいは、ペットボトル）を安定に保持できる。
【００７７】
さらに、本形態のカップホルダ１は、内部材４を変移する内部材昇降部５３が内部材４の下方にもうけられている。このため、外筒３が切り込みを持たなくなっている。この結果、カップ（ドリンク）が収容される収容空間の意匠性の低下が抑えられる。
【００７８】
また、外筒３の内周面に凹凸を形成されないことから、カップ（ドリンク）を挿入したときに、引っかかることが抑えられ、カップの内容物がこぼれることが抑えられている。
【符号の説明】
【００７９】
１：カップホルダ
２：本体部                ２０：上面部
２１：筒部                ２３：下面部
３：外筒                  ３１，３２：外筒突起
４：内部材
５：昇降部
５０：外筒昇降部          ５１：外筒リンク
５３：内部材昇降部          ５４：第１の内部材リンク
５５：第２の内部材リンク    
６：バネ
７：ダンパ
【図１】
0006361932.tif 000002
【図２】
0006361932.tif 000003
【図３】
0006361932.tif 000004
【図４】
0006361932.tif 000005
【図５】
0006361932.tif 000006
【図６】
0006361932.tif 000007
【図７】
0006361932.tif 000008
【図８】
0006361932.tif 000009
【図９】
0006361932.tif 000010
【図１０】
0006361932.tif 000011
【図１１】
0006361932.tif 000012
【図１２】
0006361932.tif 000013